(57)【要約】【課題】カシメ時の荷重がターミナルに加えられた際に、ワイヤに生ずる引っ張り荷重を抑えることができるターミナル構造を提供する。【解決手段】ターミナル６２の本体構成部７１の一方の長辺に足部８１を設け、この足部８１の先端構成部８５にヒュージング部９２を形成する。ヒュージング部９２にコイル２３の巻き線を構成するマグネットワイヤ９３の一端を挟持してヒュージングする。本体構成部７１の他方の長辺より延出した舌片を折曲してカシメ部１０１を形成し、このカシメ部１０１を、電磁弁１のカバー１２の内側面に沿って起立する。カバー１２の上縁部６４をカシメる際に、該上縁部６４と共にカシメ部１０１をカシメ、ターミナル６２のカシメ部１０１をカバー１２に電気的に接続する。【選択図】図２
2007177883.tif 000002
【特許請求の範囲】
【請求項１】
カバー内の内蔵部品の端部に配置されるターミナルの一端側に、ワイヤがヒュージングされるヒュージング部が設けられる一方、前記ターミナルの他端側に、前記カバーの縁部と共にカシメられるカシメ部が設けられたターミナル構造において、
前記ターミナルの前記カシメ部と前記ヒュージング部との間に、スリットを設けて荷重の伝達を抑制する伝達抑制部を形成したことを特徴とするターミナル構造。
【発明の詳細な説明】
【技術分野】
【０００１】
本発明は、電磁弁のソレノイドに接続されるターミナル構造に関する。
【背景技術】
【０００２】
従来、自動車の自動変速機を構成する油圧経路には、図３に示すように、電磁弁８０１が使用されている。
【０００３】
この電磁弁８０１の電磁弁本体８１１を構成するカバー８１２内には、ソレノイド８１３が収容されており、該ソレノイド８１３の端面には、ターミナル８１４が配置されている。
【０００４】
このターミナル８１４には、図３の（ｂ）に示すように、前記ソレノイド８１３の端面に沿って配置される本体構成部８２１と、該本体構成部８２１より延出する足部８２２とが形成されており、該足部８２２の先端には、折返し形状のヒュージング部８２３が設けられている。このヒュージング部８２３から前記本体構成部８２１までの距離は、長めに設定されており、当該ヒュージング部８２３には、前記ソレノイド８１３に巻回されたマグネットワイヤの一端がヒュージングされるように構成されている。
【０００５】
このターミナル８１４は、前記足部８２２が前記ソレノイド８１３の端面に圧入されるよう構成されており、前記本体構成部８２１上には、プレート８３１が配置されるように構成されている。また、前記本体構成部８２１には、カシメ部８３２が設けられており、該カシメ部８３２は、前記カバー８１２に沿って起立するように構成されている。
【０００６】
これにより、当該カバー８１２の上縁を、前記プレート８３１上にカシメて該プレート８３１を前記カバー８１２に固定する際には、前記カシメ部８３２が前記カバー８１２上縁と共にカシメられるように構成されており、前記マグネットワイヤの一端は、前記ターミナル８１４を介して、前記カバー８１２に電気的に接続されるように構成されている。
【発明の開示】
【発明が解決しようとする課題】
【０００７】
しかしながら、このようなターミナル構造にあっては、ターミナル８１４がソレノイド８１３の端面に圧入されるよう構成されているが、寸法バラツキ等によってターミナル８１４にガタが生じる場合がある。
【０００８】
この状態において、前記ターミナル８１４の本体構成部８２１に設けられたカシメ部８３２をカバー８１２上縁と共にカシメると、前記本体構成部８２１が上方から荷重を受けることとなる。すると、梃子の原理によって足部８２２先端のヒュージング部８２３が上動し、該ヒュージング部８２３にヒュージングされたマグネットワイヤに引っ張り荷重が加えられる。これにより、該マグネットワイヤが断線する恐れがあった。
【０００９】
本発明は、このような従来の課題に鑑みてなされたものであり、カシメ時の荷重がターミナルに加えられた際に、ワイヤに生ずる引っ張り荷重を抑えることができるターミナル構造を提供することを目的とするものである。
【課題を解決するための手段】
【００１０】
前記課題を解決するために本発明のターミナル構造にあっては、カバー内の内蔵部品の端部に配置されるターミナルの一端側に、ワイヤがヒュージングされるヒュージング部が設けられる一方、前記ターミナルの他端側に、前記カバーの縁部と共にカシメられるカシメ部が設けられたターミナル構造において、前記ターミナルの前記カシメ部と前記ヒュージング部との間に、スリットを設けて荷重の伝達を抑制する伝達抑制部を形成した。
【００１１】
すなわち、ターミナルの他端側に設けられたカシメ部をカバーの縁部と共にカシメる際には、梃子の原理によって、前記ターミナルの他端側に加えられた荷重が、ヒュージング部が設けられた当該ターミナルの一端側を変位させる力として作用する。
【００１２】
このとき、前記ターミナルの前記カシメ部と前記ヒュージング部との間には、スリットが設けられており、このスリットによって伝達抑制部が形成されている。このため、前記カシメ時に前記ターミナルの他端側に加えられた荷重は、前記伝達抑制部で吸収分散されることによって一端側への伝達が抑制される。
【発明の効果】
【００１３】
以上説明したように本発明のターミナル構造にあっては、ターミナルの他端側に設けられたカシメ部をカバーの縁部と共にカシメる際に、ターミナルの他端側に加えられた荷重を、当該ターミナルに形成された伝達抑制部で吸収分散することによって一端側への伝達を抑制することができる。
【００１４】
したがって、カシメ時の荷重がターミナルの一端側を変位させる力として働き、この一端側のヒュージング部にヒュージングされたワイヤの引っ張り荷重として作用する従来と比較して、ワイヤに生ずる引っ張り荷重を抑制することができる。
【００１５】
これにより、前記ヒュージング部にヒュージングされたワイヤが断線するといった不具合を確実に防止することができる。
【発明を実施するための最良の形態】
【００１６】
以下、本発明の一実施の形態を図面に従って説明する。図１は、本実施の形態にかかるターミナル構造を備えた電磁弁１を示す図であり、該電磁弁１は、例えばオートマチックトランスミッションの油圧回路で油圧を制御するものである。
【００１７】
この電磁弁１を構成する電磁弁本体１１は、円筒状のカバー１２を備えており、該カバー１２の内側には、内蔵部品としての樹脂成型品１３が収容されている。該樹脂成型品１３には、リング板１４がインサート成型されており、該リング板１４の周縁部は、前記カバー１２の底部１５に載置された状態で支持されている。
【００１８】
前記樹脂成型品１３には、前記リング板１４より下部側に前記カバー１２より下方に延出したノズル部２１が形成されており、前記リング板１４より上部側に前記カバー１２内に収容されるボビン２２が形成されている。該ボビン２２には、コイル２３が巻回されており、ソレノイド２４が形成されている。
【００１９】
前記ボビン２２内には、前記ソレノイド２４で励磁されるコア３１が下部に収容されており、該コア３１上には、円筒状のガイド３２を介して、円筒状のヨーク３３が収容されている。該ヨーク３３と前記ガイド３２の内側には、プランジャ３４が上下動自在に収容されており、該プランジャ３４の中心部には、作動軸３５が固定されている。
【００２０】
該作動軸３５は、前記リング板１４の下部に設けられたドレン室４１及び出力室４２を挿通して弁室４３に達するように形成されており、該弁室４３に収容されたボール弁４４を作動できるように構成されている。また、前記作動軸３５先端側の中途部には、テーパー弁４５が形成されており、該テーパー弁４５は、前記ドレン室４１と前記出力室４２とを連通する上部連通路４６を開閉できるように構成されている。
【００２１】
これにより、ソレノイド２４非通電時には、前記ノズル部２１に形成された入力ポート５１から油圧を受けた前記ボール弁４４が上動することによって、当該ボール弁４４が前記出力室４２と前記弁室４３とを連通する下部連通路５２を閉鎖して、前記入力ポート５１から出力ポート５３への油圧を遮断するように構成されており、前記ボール弁４４の上動に伴って前記作動軸３５が押し上げられることによって、該作動軸３５に形成された前記テーパー弁４５が前記上部連通路４６を開放し、前記出力ポート５３からの油圧がドレンポート５４から排出されるように構成されている。
【００２２】
また、ソレノイド２４非通電時には、前記プランジャ３４が前記コア３１に吸引されることによって、前記作動軸３５の前記テーパー弁４５が前記上部連通路４６を閉鎖するとともに、当該作動軸３５が前記ボール弁４４を下方へ移動するように構成されており、前記入力ポート５１から油圧が前記出力ポート５３から出力されるように構成されている。
【００２３】
前記樹脂成型品１３の上端面６１には、前記コイル２３の巻き線を構成するマグネットワイヤの一端側をボディアースする為のターミナル６２が設けられており、該ターミナル６２の上部には、リング板状のプレート６３が配置されている。該プレート６３は、その周縁が前記カバー１２の内側面に達する大きさに形成されており、該カバー１２の上縁部６４が内側にカシメられた状態で固定されている。
【００２４】
前記ターミナル６２は、図２にも示すように、金属板が打ち抜かれて形成されており、該ターミナル６２には、横長矩形状の本体構成部７１が形成されている。該本体構成部７１は、前記樹脂成型品１３の前記上端面６１に載置された状態で配置されるように構成されており、当該本体構成部７１の中央部には、位置決め用の位置決め穴７２が開設されている。
【００２５】
前記本体構成部７１の一方の長辺側の縁部は、裏面側に折曲されることによって足部８１が形成されており、該足部８１は、前記樹脂成型品１３の上端面６１に形成された溝部８２に圧入されるように構成されている（図１参照）。この足部８１は、中途部が前記本体構成部７１と逆側に折曲されており、その先端部は、図中右方に折曲されている。これにより、この足部８１には、前記本体構成部７１の長辺に沿って延在する延在部８３と、該延在部８３より図中上方に延出して中途部を構成する中途構成部８４と、該中途構成部８４より図中右方に延出して先端部を構成する先端構成部８５とによってクランク状に形成されている。
【００２６】
前記中途構成部８４の内側面には、プロジェクション突起９１が設けられており、前記溝部８２に圧入された状態で、当該プロジェクション突起９１が溝部８２壁面に圧接され抜け止めとして機能するように構成されている。前記先端構成部８５の先端部には、ヒュージング部９２が形成されている。このヒュージング部９２は、当該先端構成部８５の先端が折り返されてなる折返し形状に形成されており、当該ヒュージング部９２に前記コイル２３の巻き線を構成するマグネットワイヤ９３の一端が挟持された状態でヒュージングされるように構成されている。
【００２７】
一方、前記本体構成部７１の他方の長辺には、その中央部より延出した舌片が上面側に折曲されて形成されたカシメ部１０１が設けられており、このカシメ部１０１は、当該ターミナル６２が前記樹脂成型品１３の上端面６１にセットされた状態で、前記カバー１２の内側面に沿って起立するように構成されている。
【００２８】
このカシメ部１０１は、図１に示したように、前記カバー１２の上縁部６４を内側にカシメて固定する際に、前記上縁部６４と共にカシメされるように構成されており、このカシメられた状態において、前記カシメ部１０１が前記プレート６３と前記カバー１２の上縁部６４との間に挟持されるとともに、該カバー１２に電気的に接続されるように構成されている。
【００２９】
これにより、図２に示したように、前記ターミナル６２の一端側には、前記マグネットワイヤ９３がヒュージングされる前記ヒュージング部９２が設けられる一方、当該ターミナル６２の他端側には、前記カバー１２の上縁部６４と共にカシメられる前記カシメ部１０１が設けられている。
【００３０】
そして、前記本体構成部７１の前記一方の長辺には、その両端に開口するスリット１１１，１１１が形成されており、両スリット１１１，１１１間には、剛性が低下された伝達抑制部１１２が形成されている。これにより、前記本体構成部７１と前記足部８１とは、前記伝達抑制部１１２を介して連設されており、前記本体構成部７１に設けられた前記カシメ部１０１と前記足部８１の先端に設けられた前記ヒュージング部９２との間に形成された前記伝達抑制部１１２によって、カシメ時に前記カシメ部１０１に加えられた荷重の前記ヒュージング部９２への伝達が抑制されるように構成されている。
【００３１】
以上の構成にかかる本実施の形態において、前記ターミナル６２の他端側に設けられたカシメ部１０１を前記カバー１２の上縁部６４と共にカシメる際には、梃子の原理によって、前記ターミナル６２の他端側に加えられた荷重が、ヒュージング部９２が設けられた当該ターミナル６２の一端側を上動させる力として作用する。
【００３２】
このとき、前記ターミナル６２の前記カシメ部１０１と前記ヒュージング部９２との間には、スリット１１１，１１１が設けられており、このスリット１１１，１１１によって伝達抑制部１１２が形成されている。このため、前記カシメ時に前記ターミナル６２の他端側に加えられた荷重は、前記伝達抑制部１１２が変形することで吸収分散され、当該ターミナル６２の一端側への伝達を抑制することができる。
【００３３】
したがって、カシメ時の荷重がターミナル６２の一端側を上動させる力として働き、この一端側のヒュージング部９２にヒュージングされたマグネットワイヤ９３の引っ張り荷重として作用する従来と比較して、マグネットワイヤ９３に生ずる引っ張り荷重を抑制することができる。
【００３４】
これにより、前記ヒュージング部９２にヒュージングされた前記マグネットワイヤ９３が断線するといった不具合を確実に防止することができる。
【図面の簡単な説明】
【００３５】
【図１】本発明の一実施の形態を示す断面図ある。
【図２】同実施の形態のターミナルを拡大図である。
【図３】（ａ）は従来の電磁弁を示す断面図であり、（ｂ）は同従来例のターミナルを示す拡大図である。
【符号の説明】
【００３６】
１    電磁弁
１２    カバー
１３    樹脂成型品
２４    ソレノイド
６１    上端面
６２    ターミナル
９２    ヒュージング部
９３    マグネットワイヤ
１０１    カシメ部
１１１    スリット
１１２    伝達抑制部
【図１】
2007177883.tif 000003
【図２】
2007177883.tif 000004
【図３】
2007177883.tif 000005